【事件の表示】
　特願２０１６−２０２９００「光学フィルムおよびその製造方法」拒絶査定不服審判事件〔平成３０年４月１９日出願公開，特開２０１８−６３４０２，請求項の数（４）〕について，次のとおり審決する。
【結　論】
　原査定を取り消す。
　本願の発明は，特許すべきものとする。
【理　由】
第１　事案の概要
　１　手続等の経緯
　特願２０１６−２０２９００号（以下「本件出願」という。）は，平成２８年１０月１４日に出願された特許出願であって，その後の手続は，概略，以下のとおりである。
平成２９年　３月２８日付け：拒絶理由通知書
平成２９年　６月　１日付け：意見書
平成２９年　６月　１日付け：手続補正書
平成２９年　６月２７日付け：拒絶理由通知書
平成２９年　８月２９日付け：意見書
平成２９年　９月２９日付け：拒絶査定
平成２９年１２月２５日付け：審判請求書
　
　２　本願発明
　本件出願の請求項１〜請求項４に係る発明（以下「本願発明１」〜「本願発明４」という。）は，平成２９年６月１日付け手続補正書によって補正された特許請求の範囲の請求項１〜請求項４に記載された事項によって特定されるとおりの，以下のものである。
「【請求項１】
　偏光板と該偏光板の表面に貼合されたプロテクトフィルムとを有する光学フィルムであって，
　前記偏光板は，偏光子と，該偏光子に積層された保護膜とを含み，
　前記プロテクトフィルムは，粘着剤層と，該粘着剤層を介して前記偏光板に積層されたプロテクト層とを含み，
　前記光学フィルムの幅方向において，
　前記保護膜の側端は，前記偏光子の側端よりも外側に位置し，
　前記プロテクト層の側端は，前記偏光子の側端と同じ位置にあるか，前記偏光子の側端よりも内側に位置する，光学フィルム。
　
【請求項２】
　前記光学フィルムは，枚葉状に形成されている，請求項１に記載の光学フィルム。
　
【請求項３】
　前記光学フィルムは，ロール状に巻回されている，請求項１に記載の光学フィルム。
　
【請求項４】
　偏光板と該偏光板の表面に貼合されたプロテクトフィルムとを有する光学フィルムの製造方法であって，
　前記偏光板は，偏光子と，該偏光子に積層された保護膜とを含み，
　前記プロテクトフィルムは，粘着剤層と，該粘着剤層を介して前記偏光板に積層されたプロテクト層とを含み，
　前記光学フィルムの幅方向において，
　前記保護膜の側端を，前記偏光子の側端よりも外側に位置し，
　前記プロテクト層の側端を，前記偏光子の側端と同じ位置にするか，前記偏光子の側端よりも内側に位置して，光学フィルムを製造する，光学フィルムの製造方法。」
　
　３　原査定の拒絶の理由
　平成２９年９月２９日付け拒絶査定（以下「原査定」という。）における拒絶の理由は，概略，本願発明１〜本願発明４は，その出願前に日本国内又は外国において頒布された刊行物に記載された発明に基づいて，その出願前にその発明の属する技術の分野における通常の知識を有する者（以下「当業者」という。）が容易に発明をすることができたものであるから，特許法２９条２項の規定により特許を受けることができない，というものである。
引用文献１：特開２０１３−２９７５４号公報
引用文献２：特開２０１３−１８６２５２号公報
引用文献３：特開２００８−５１８４７号公報
　なお，主引用例は引用文献１であり，引用文献２及び引用文献３は，副引用例である。
　
第２　当合議体の判断
　１　引用文献の記載及び引用発明
　(1) 引用文献１の記載
　原査定の拒絶の理由に引用され，本件出願の出願前に頒布された刊行物である引用文献１には，以下の記載がある。なお，下線部は当合議体が付したものであり，引用発明の認定や判断等に活用した箇所を示す。
　ア　「【技術分野】
【０００１】
　本発明は，表面にプロテクトフィルムが剥離可能に貼合されている長尺の偏光板を巻芯部に巻取ってなる偏光板ロールおよびその製造方法に関する。
【背景技術】
…(省略)…
【０００３】
　一方，巻取り前の偏光板の表面に剥離可能なプロテクトフィルムを貼合してプロテクトフィルム付き偏光板とし，これにより偏光板の表面を保護することがある。
【０００４】
　しかし，この偏光板を巻芯部に巻取ると，プロテクトフィルムが偏光板の表面から浮き上がってしまい，いわゆるプロテクトフィルムの浮き欠陥が発生するという問題がある。
…(省略)…
【課題を解決するための手段】
【０００７】
…(省略)…一般的なプロテクトフィルムは，片面に設けられている粘着剤層を介して偏光板の表面に剥離可能に貼合されている。
【０００８】
　上述した粘着剤層は，塗工によって形成される塗工層であることが多い。
…(省略)…
【００１０】
…(省略)…
　しかし，未塗工領域の全面に塗工層を設けると，プロテクトフィルムからはみ出した余分な塗工層によって製造設備等が汚染されるという問題がある。
【００１１】
　そこで，未塗工領域の全面に塗工層を設けるのではなく，未塗工領域のうち，プロテクトフィルムの浮き欠陥の発生を抑制することができる領域にまで塗工層の側縁部をプロテクトフィルムの側縁部に向かって延設すれば，上述した問題を回避しつつ，プロテクトフィルムの浮き欠陥の発生を抑制することができることを見出し，本発明を完成するに至った。
…(省略)…
【図面の簡単な説明】
【００１４】
【図１】本発明の偏光板ロールにおけるプロテクトフィルム付き偏光板の一実施形態を示す拡大概略断面図である。
【図２】（ａ），（ｂ）は，本発明の偏光板ロールにおけるプロテクトフィルムの一実施形態を示す概略平面図である。」
（当合議体注：図１及び図２は以下の図である。
図１：
図２：
）
　
　イ　「【発明を実施するための形態】
【００１５】
…(省略)…本実施形態にかかる偏光板ロールは，図１に示すプロテクトフィルム付き偏光板１と，このプロテクトフィルム付き偏光板１を外周面にロール状に巻取っている図示しない巻芯部と，を備えている。
【００１６】
　プロテクトフィルム付き偏光板１は，図１に示すように，表面２ａにプロテクトフィルム３が剥離可能に貼合されている偏光板２で構成されている。
【００１７】
　プロテクトフィルム３は，長尺であるとともに，図２（ａ）に示すように，片面３ａの中央部に粘着剤を含有する塗工層３１が設けられている。
…(省略)…
【００１８】
　また，プロテクトフィルム３は，片面３ａの両側縁部近傍に塗工層３１が設けられていない未塗工領域３２，３２を有している。本実施形態では，各未塗工領域３２が少なくなるように，塗工層３１の側縁部３１ａを，プロテクトフィルム３の側縁部３ｂに向かって矢印Ａ方向に延設している。
【００１９】
　図２（ｂ）に示すように，延設されている塗工層３１の側縁部３１ｂは，プロテクトフィルム３の側縁部３ｂよりも片面３ａの中央部側に位置している。すなわち，本実施形態では，未塗工領域３２の全面ではなく，未塗工領域３２のうち，プロテクトフィルム３の浮き欠陥の発生を抑制することができる領域にまで塗工層３１の側縁部３１ａをプロテクトフィルム３の側縁部３ｂに向かって矢印Ａ方向に延設している。
…(省略)…
【００２０】
　矢印Ｂに示すプロテクトフィルム３の幅方向において，塗工層３１の延設されている側縁部３１ｂと，プロテクトフィルム３の側縁部３ｂとの間の距離Ｌは，２〜１１ｍｍであるのが好ましく，２〜６ｍｍであるのがより好ましい。
…(省略)…
【００２４】
　上述したプロテクトフィルム３と，偏光板２との貼合は，塗工層３１を介して一対の貼合ロール等を用いて行うことができる。プロテクトフィルム３が貼合される偏光板２は，長尺であるとともに，偏光フィルムの片面または両面に保護フィルムを貼合して形成されている。
…(省略)…
【００３１】
　以下，実施例を挙げて本発明を詳細に説明するが，本発明は以下の実施例のみに限定されるものではない。なお，実施例で用いた偏光板およびプロテクトフィルムは，以下の通りである。
【００３２】
（偏光板）
　
厚さ２０μｍの偏光フィルムの両面に，各厚さが８０μｍである保護フィルムが貼合されてなる，長さ１０００ｍｍ，幅１３３０ｍｍの偏光板
…(省略)…
【００３４】
（プロテクトフィルム）
　
厚さ３８μｍのポリエチレンテレフタレート樹脂の片面中央部に，厚さ２４μｍの塗工層が設けられてなる，長さ１０００ｍｍ，幅１３２０ｍｍのプロテクトフィルム
…(省略)…
【実施例】
【００３６】
＜プロテクトフィルム付き偏光板の作製＞
…(省略)…プロテクトフィルムの幅方向において，塗工層の延設されている側縁部と，プロテクトフィルムの側縁部との間の距離Ｌが，表１に示す値となるように，塗工層をプロテクトフィルムの側縁部に向かって延設させた。次いで，この
塗工層を介してプロテクトフィルムを
偏光板の片面に貼合し
プロテクトフィルム付き偏光板
得た
…(省略)…
【００３８】
（プロテクトフィルムの浮き欠陥の評価方法）
　プロテクトフィルムが貼合されている偏光板の表面を，表１に示す直径を有するポリ塩化ビニル樹脂製のロールの外周面に接触させ，プロテクトフィルム付き偏光板をロールの外周面に沿わせて湾曲させた際に，プロテクトフィルムの浮き欠陥が発生するか否かを，目視観察して評価した。
【００３９】
　評価基準は，以下のものを用いた。
　○：プロテクトフィルムの浮き欠陥が発生しなかった。
　×：プロテクトフィルムの浮き欠陥が発生した。
【００４０】
【表１】
【００４１】
　表１から明らかなように，塗工層の側縁部を延設させている試料Ｎｏ．１〜４は，プロテクトフィルムの浮き欠陥の発生を抑制できているのがわかる。また，距離Ｌを小さくするにつれて，直径が小さいロールに対してもプロテクトフィルムの浮き欠陥の発生を抑制できる結果を示した。」
　
　(2) 引用発明
　引用文献１の【００３１】〜【００４１】の記載からみて，引用文献１には，次の発明が記載されている（以下「引用発明１」という。）。
「　厚さ２０μｍの偏光フィルムの両面に，各厚さが８０μｍである保護フィルムが貼合されてなる，長さ１０００ｍｍ，幅１３３０ｍｍの偏光板と，
　厚さ３８μｍのポリエチレンテレフタレート樹脂の片面中央部に，厚さ２４μｍの塗工層が設けられてなる，長さ１０００ｍｍ，幅１３２０ｍｍのプロテクトフィルムを具備し，
　塗工層を介してプロテクトフィルムを偏光板の片面に貼合して得た，
　プロテクトフィルム付き偏光板。」
　
　同様に，引用文献１には，次の発明も記載されている（以下「引用発明２」という。）。
「　厚さ２０μｍの偏光フィルムの両面に，各厚さが８０μｍである保護フィルムが貼合されてなる，長さ１０００ｍｍ，幅１３３０ｍｍの偏光板と，
　厚さ３８μｍのポリエチレンテレフタレート樹脂の片面中央部に，厚さ２４μｍの塗工層が設けられてなる，長さ１０００ｍｍ，幅１３２０ｍｍのプロテクトフィルムを用い，
　塗工層を介してプロテクトフィルムを偏光板の片面に貼合する，
　プロテクトフィルム付き偏光板の製造方法。」
　
　(3) 引用文献２の記載
　原査定の拒絶の理由に引用され，本件出願の出願前に頒布された刊行物である引用文献２には，以下の記載がある。
　ア　「【発明の詳細な説明】
【技術分野】
【０００１】
　本発明は，偏光板の製造方法に関する。
…(省略)…
【０００４】
　透明保護フィルムは乾燥段階において寸法変化が生じやすい。…(省略)…特に，偏光子の両面に貼り合わせる透明保護フィルムの寸法変化率が異なる場合には，カールが発生しやすく，作業効率を低下させていた。
…(省略)…
【図面の簡単な説明】
【００１６】
…(省略)…
【図２】本発明の偏光板の製造方法に係る他の実施形態の一例を示す断面図である。」
（当合議体注：図２は以下の図である。
）
　
　イ　「【発明を実施するための形態】
【００１７】
…(省略)…本発明の偏光板の製造方法では，偏光子Ｐの両面に接着剤（ａ１，ａ２）を介して第１の透明保護フィルムＴ１および第２の透明保護フィルムＴ２が設けられる。前記偏光子Ｐの幅Ｗｐは，第１の透明保護フィルムＴ１の幅Ｗｔ１および第２の透明保護フィルムＴ２の幅Ｗｔ２以下である。
…(省略)…
【００１８】
…(省略)…図２，図４に記載の偏光板は，偏光子の幅Ｗｐと，接着剤（ａ１，ａ２）の幅が一致しており，偏光子Ｐの幅方向の端部より外側には接着剤を有しない場合である。
…(省略)…
【００２１】
　
前記偏光子の幅Ｗｐ（ｍｍ）は，通常，３００〜２０００ｍｍであるのが好ましい。一方，第１の透明保護フィルムＴ１の幅Ｗ
ｔ１
（ｍｍ）および第２の透明保護フィルムＴ２の幅Ｗ
ｔ２
（ｍｍ）は，前記偏光子Ｐの幅Ｗ
ｐ
（ｍｍ）以上である。通常は，第１の透明保護フィルムおよび第２の透明保護フィルムの幅が，３５０〜２３００ｍｍであるのが好ましい。
…(省略)…
【実施例】
【００５４】
…(省略)…
【００５６】
　＜透明保護フィルム＞
　透明保護フィルムとして，下記に示すものを用いた。
　透明保護フィルムの幅はいずれも１３３０ｍｍである。
　１：厚さ２５μｍの環状オレフィン系樹脂フィルム（ＪＳＲ社製，アートン）；寸法変化率＝０．０７６３
　２：厚さ３５μｍの環状オレフィン系樹脂フィルム（ＪＳＲ社製，アートン）；寸法変化率＝０．０５１５
　３：厚さ４０μｍのトリアセチルセルロースフィルム（コニカ社製，ＫＣ４ＵＹＷ）；寸法変化率＝０．２０１１
【００５７】
　＜偏光子の作製＞
　厚さ７５μｍのポリビニルアルコールフィルム（（株）クラレ製：ＶＦ−ＰＳ７５００，幅１０００ｍｍまたは幅２６００ｍｍ）を用いて，３０℃の純水中に６０秒間浸漬しながら延伸倍率２．５倍まで延伸し，３０℃のヨウ素水溶液（重量比：純水／ヨウ素（Ｉ）／ヨウ化カリウム（ＫＩ）＝１００／０．０１／１）中で４５秒間染色し，４重量％ホウ酸水溶液中で延伸倍率が５．８倍になるように延伸し，純水中に１０秒間浸漬した後，フィルムの張力を保ったまま６０℃で３分間乾燥して偏光子を得た。この偏光子の厚さは２５μｍ，幅は４４６ｍｍまたは幅１１６０ｍｍであった。
【００５８】
　＜接着剤の調製＞
　ポリビニルアルコール樹脂（日本合成化学工業（株）製：エコマティ）１００重量部と架橋剤（大日本インキ化学工業（株）製：ウォーターゾール）３５重量部を純水３７６０重量部中に溶解して接着剤水溶液を調製した。
【００５９】
　実施例１
　（偏光板の作製）
　幅１３３０ｍｍの上記透明保護フィルム１（厚さ２５μｍの環状オレフィン系樹脂フィルムの片面に，上記接着剤水溶液を乾燥後の接着剤層の厚みが８０ｎｍとなるように塗布して，接着剤付きの透明保護フィルム１を得た。一方，幅１３３０ｍｍの上記透明保護フィルム２（厚さ４０μｍのトリアセチルセルロースフィルム）の片面に，上記接着剤水溶液を乾燥後の接着剤層の厚みが８０ｎｍとなるように塗布して，接着剤付きの透明保護フィルム２を得た。上記接着剤付きの透明保護フィルム１および２に対する，接着剤の塗布は，塗布された接着剤の幅が，幅１１６０ｍｍの偏光子の幅と同じになるように，かつ，各透明保護フィルム１および２の両側において接着剤を塗布しない箇所が略同じになるように行った。次いで，２３℃の温度条件下で，上記幅１１６０ｍｍの偏光子の両面に，上記で接着剤付きの透明保護フィルム１および２を，偏光子の幅方向において，偏光子の両側の端部から外側に向けて存在する接着剤の幅ｗがそれぞれ０ｍｍになるように，同時にロール機で貼り合せた。その後，８０℃で１０分間の乾燥工程を施して偏光板を作製した。得られた偏光板は，偏光板の幅方向の接着剤幅ｗがいずれも０ｍｍであり，図２の態様に係る。」
　
　(4) 引用文献３の記載
　原査定の拒絶の理由に引用され，本件出願の出願前に頒布された刊行物である引用文献３には，以下の記載がある。
　ア　「【技術分野】
【０００１】
　本発明は，液晶表示装置（ＬＣＤ），プラズマディスプレイ（ＰＤＰ）などの画像表示装置に用いる光学部材に関する。
…(省略)…
【発明が解決しようとする課題】
【０００６】
…(省略)…
【０００８】
　本発明は，上記課題に鑑み，光学フィルムを汚すことなく形成及び運搬できる光学部材を提供せんとするものであり，さらには，積層しても各光学部材同士が貼付しにくい光学部材を提供せんとするものである。
【課題を解決するための手段】
【０００９】
…(省略)…
【００１０】
　本発明の光学部材は，少なくとも一面側の離型フィルムの周縁部が粘着層の周縁部よりも外方に張り出すように積層してある粘着シートを用いることにより，離型フィルムの張り出した部分を把持して運搬できるため，粘着層を押圧せず運搬でき，粘着層から接着材乃至粘着剤がはみ出すことがない。また，光学フィルムに周縁部が粘着層の周縁部よりも外方に張り出すように粘着シートを貼付することにより，光学フィルム及び離型フィルムの周縁部は粘着層の周縁部よりも張り出しているため，粘着層から接着剤乃至粘着剤がはみ出すことがない。
…(省略)…
【００４３】
　光学部材５は，図４に示すように，図１又は２に示した粘着シート１の他面側の剥離フィルム２を剥離して，光学フィルム６上に貼付して形成したものであり，光学フィルム６の周縁部の全部，つまり全周に渡り粘着層４の周縁部４ａよりも外方に張り出すように貼付してある（この張り出した部分を張出部６ａともいう。）。
…(省略)…
【００４４】
　張出部６ａは，粘着層４の周縁部４ａから０．５ｍｍ以上，好ましくは１．０ｍｍ以上，さらに好ましくは３ｍｍ以上張り出してあるのがよい。
…(省略)…
【００４５】
　光学フィルム６としては，例えば，偏光フィルム，偏光変換素子，反射板，半透過板，位相差フィルム，輝度向上フィルム，保護フィルム，反射防止フィルム，電磁波シールドフィルム，光学補償フィルム，近赤外線カットフィルム，調色フィルムやこれらを組み合わせた積層体など平面型画像装置の表示パネル等に用いる種々のものが挙げることができる。」
　
　イ　「【図面の簡単な説明】
【００６２】
…(省略)…
【図４】本発明の光学部材の一実施形態を示し，（Ａ）は側面図，（Ｂ）は上面図，（Ｃ）は正面図である。」
（当合議体注：図４は以下の図である。
）
　
　２　本願発明１について
　請求項１に係る発明（以下「本願発明１」という。）と引用発明１を対比すると，以下のとおりとなる。
　(1) 対比
　ア　光学フィルム
　引用発明１の「プロテクトフィルム付き偏光板」は，「プロテクトフィルムを偏光板の片面に貼合して得た」ものである。
　ここで，「偏光板の片面」は，偏光板の表面と理解することができるから，引用発明１の「プロテクトフィルム付き偏光板」は，偏光板と，偏光板の表面に貼合されたプロテクトフィルムを有するものといえる。また，引用発明１の「偏光板」及び「プロテクトフィルム」は，その文言が意味するとおりの光学的機能や保護作用を具備すると理解するのが自然である。
　そうしてみると，引用発明１の「偏光板」，「プロテクトフィルム」及び「プロテクトフィルム付き偏光板」は，それぞれ，本願発明１の「偏光板」，「プロテクトフィルム」及び「光学フィルム」に相当する。また，引用発明１の「プロテクトフィルム付き偏光板」は，本願発明１の「光学フィルム」における，「偏光板と該偏光板の表面に貼合されたプロテクトフィルムとを有する」という要件を満たす。
　
　イ　偏光板
　引用発明１の「偏光板」は，「厚さ２０μｍの偏光フィルムの両面に，各厚さが８０μｍである保護フィルムが貼合されてなる」。ここで，引用発明１の「偏光フィルム」は，技術的にみて，偏光子ということができ，また，引用発明１の「保護フィルム」は，保護膜ということができる。
　そうしてみると，引用発明１の「偏光フィルム」及び「保護フィルム」は，それぞれ，本願発明１の「偏光子」及び「保護膜」に相当する。また，引用発明１の「偏光板」は，本願発明１の「偏光板」における，「偏光子と，該偏光子に積層された保護膜とを含み」という要件を満たす。
　
　ウ　プロテクトフィルム
　上記イと同様に検討すると，引用発明１の「ポリエチレンテレフタレート樹脂」及び「塗工層」は，それぞれ，本願発明１の「プロテクト層」及び「粘着剤層」に相当する。また，引用発明１の「プロテクトフィルム」は，本願発明１の「プロテクトフィルム」における，「粘着剤層と，該粘着剤層を介して前記偏光板に積層されたプロテクト層とを含み」という要件を満たす。
　
　(2) 一致点及び相違点
　ア　一致点
　本願発明１と引用発明１は，次の構成で一致する。
「　偏光板と該偏光板の表面に貼合されたプロテクトフィルムとを有する光学フィルムであって，
　前記偏光板は，偏光子と，該偏光子に積層された保護膜とを含み，
　前記プロテクトフィルムは，粘着剤層と，該粘着剤層を介して前記偏光板に積層されたプロテクト層とを含む，
　光学フィルム。」
　
　イ　相違点
　本願発明１と引用発明１は，次の点で相違する。
（相違点１）
　「光学フィルム」に関して，本願発明１は，「前記光学フィルムの幅方向において」，[A]前記保護膜の側端は，前記偏光子の側端よりも外側に位置し，[B]前記プロテクト層の側端は，前記偏光子の側端と同じ位置にあるか，前記偏光子の側端よりも内側に位置するのに対して，引用発明１は，これが明らかではない点。
　
　(3) 判断
　ア　引用発明１の「プロテクトフィルム」は「幅１３２０ｍｍ」，「偏光板」は「幅１３３０ｍｍ」である。また，プロテクトフィルムは，通常，偏光板の両側端を除いた，幅方向の中央に貼り合わせられると考えられる。
　そうしてみると，引用発明１の「プロテクトフィルム付き偏光板」においては，「偏光板」が，「プロテクトフィルム」の両側端から５ｍｍずつはみ出していると考えるのが自然である。
　ここで，引用発明１の「偏光板」において，仮に，「保護フィルム」の幅が「偏光フィルム」の幅よりも広く，ただし，１０ｍｍ以下だけ広いならば，引用発明１の「プロテクトフィルム付き偏光板」は，相違点１に係る本願発明１の構成を具備したものとなる（前記[A]の位置関係及び前記[B]の位置関係を満たしたものとなる。）。
　しかしながら，引用発明１の「偏光フィルム」及び「保護フィルム」の幅は，不明である。また，引用文献１には，これら幅について，何ら記載されておらず，示唆する記載もない。
　
　イ　引用文献２の【００２１】には，「前記偏光子の幅Ｗｐ（ｍｍ）は，通常，３００〜２０００ｍｍであるのが好ましい。一方，第１の透明保護フィルムＴ１の幅Ｗｔ１（ｍｍ）および第２の透明保護フィルムＴ２の幅Ｗｔ２（ｍｍ）は，前記偏光子Ｐの幅Ｗｐ（ｍｍ）以上である。通常は，第１の透明保護フィルムおよび第２の透明保護フィルムの幅が，３５０〜２３００ｍｍであるのが好ましい。」と記載されている。
　したがって，引用文献２には，保護フィルムの幅を，偏光子の幅以上とすることが記載されているといえる。しかしながら，【００２１】に記載された数値範囲や，実施例（【００５６】ないし【００５９】）を考慮すると，保護フィルムの幅は，偏光子の幅よりも５０〜３００ｍｍ程度広いと考えられる。
　そうしてみると，当業者が，仮に，引用発明１と引用文献２に記載された技術を組み合わせたとしても，相違点１に係る本願発明１の構成を具備することにはならない（前記[A]の位置関係は満たすが，前記[B]の位置関係は満たさない。）。
　
　なお，引用発明１の「プロテクトフィルム」は「偏光板」を保護するためのものであるから，その幅は，「偏光板」の幅に近い方が望ましいといえる。したがって，引用発明１の「プロテクトフィルム」の幅を狭いものに変更すること（前記[B]の位置関係を満たす方向に変更すること）が，容易であるということもできない。
　
　ウ　引用文献３には，「偏光フィルム」及び「保護フィルム」の幅について，記載も示唆もない。
　
　(4) 小括
　以上のとおりであるから，本願発明１は，引用文献２及び引用文献３に記載された事項を心得た当業者であっても，引用文献１に記載された発明に基づいて容易に発明をすることができたものであるということはできない。
　
　３　本願発明２〜本願発明４について
　(1) 本願発明２及び本願発明３について
　本願発明２及び本願発明３は，前記相違点１に係る本願発明１の構成を具備する発明である。
　したがって，本願発明１と同じ理由により，本願発明２及び本願発明３は，引用文献２及び引用文献３に記載された事項を心得た当業者であっても，引用文献１に記載された発明に基づいて容易に発明をすることができたものであるということはできない。
　
　(2) 本願発明４について
　本願発明４と引用発明２を対比すると，両者は，次の点で相違する。
（相違点２）
　「光学フィルムの製造方法」に関して，本願発明４は，「前記光学フィルムの幅方向において」，「前記保護膜の側端を，前記偏光子の側端よりも外側に位置し」，「前記プロテクト層の側端を，前記偏光子の側端と同じ位置にするか，前記偏光子の側端よりも内側に位置して，光学フィルムを製造する」という構成を具備するのに対して，引用発明２は，これが明らかではない点。
　
　相違点２についての判断は，前記２(3)と同様である。
　すなわち，引用発明２の「偏光フィルム」及び「保護フィルム」の幅は，不明である。また，引用文献１には，これら幅について，何ら記載されておらず，示唆する記載もない。そして，引用発明２と引用文献２に記載された技術を組み合わせたとしても，相違点２に係る本願発明４の構成を具備することにはならないし，引用文献３には「偏光フィルム」及び「保護フィルム」の幅について記載がない。
　したがって，本願発明４は，引用文献２及び引用文献３に記載された事項を心得た当業者であっても，引用文献１に記載された発明に基づいて容易に発明をすることができたものであるということはできない。
　
第３　まとめ
　以上のとおりであるから，原査定の拒絶の理由によっては，本件出願を拒絶することはできない。
　また，他に本件出願を拒絶すべき理由を発見しない。
　よって，結論のとおり審決する。